(57)【要約】【課題】火を灯しても、植物への着火を抑制し得るボタニカルキャンドル及びその製造方法を提供する。【解決手段】ボタニカルキャンドル１は、燃焼芯１１を有する内側蝋１０と、内部に植物Ｐが配置され、内側蝋１０を取り巻いている外側蝋２０と、内側蝋１０と外側蝋２０との間に配置され、内側蝋１０が焼失した際に、植物Ｐへの着火を抑制する仕切り３０と、を備える。【選択図】図２
2019151750.tif 000002
【特許請求の範囲】
【請求項１】
燃焼芯を有する内側蝋と、
内部に植物が配置され、前記内側蝋を取り巻いている外側蝋と、
前記内側蝋と前記外側蝋との間に配置され、前記内側蝋が焼失した際に、植物への着火を抑制する仕切りと、を備える、
ことを特徴とするボタニカルキャンドル。
【請求項２】
前記仕切りが前記内側蝋に巻き回されたシート材である、
ことを特徴とする請求項１に記載のボタニカルキャンドル。
【請求項３】
前記仕切りの上部が前記外側蝋の方へ湾曲している、
ことを特徴とする請求項１又は２に記載のボタニカルキャンドル。
【請求項４】
前記仕切りが難燃性素材から構成される、
ことを特徴とする請求項１乃至３のいずれか一項に記載のボタニカルキャンドル。
【請求項５】
断熱構造の前記仕切りを備える、
ことを特徴とする請求項１乃至４のいずれか一項に記載のボタニカルキャンドル。
【請求項６】
前記仕切りが断熱材を有している、
ことを特徴とする請求項５に記載のボタニカルキャンドル。
【請求項７】
前記仕切りが２重に配置されており、前記仕切り同士の間にセパレータが配置されて前記仕切り同士が離間している、
ことを特徴とする請求項５に記載のボタニカルキャンドル。
【請求項８】
前記仕切りが中空構造である、
ことを特徴とする請求項５に記載のボタニカルキャンドル。
【請求項９】
内側蝋形成用型枠に燃焼芯を配置し、前記内側蝋形成用型枠に第１の蝋を充填して硬化させて内側蝋を作製する工程と、
前記内側蝋形成用型枠から取り出した前記内側蝋の外面に仕切りを配置する工程と、
前記仕切りの外側に植物を配置する工程と、
前記内側蝋を外側蝋形成用型枠に入れ、前記外側蝋形成用型枠に第２の蝋を充填して硬化させて外側蝋を作製する工程と、を備える、
ことを特徴とするボタニカルキャンドルの製造方法。
【請求項１０】
表面に粘着剤層を有する前記仕切りを用い、
前記粘着剤層が外側を向くようにして前記仕切りを前記内側蝋に配置し、
前記植物を前記仕切りに付着させて配置する、
ことを特徴とする請求項９に記載のボタニカルキャンドルの製造方法。
【発明の詳細な説明】
【技術分野】
【０００１】
本発明は、ボタニカルキャンドル及びその製造方法に関する。
【背景技術】
【０００２】
キャンドルは、綿糸などを縒り合わせたものを燃焼芯にし、燃焼芯の周囲に蝋やパラフィンを成型したものであり、燃焼芯に火を灯し、主として、灯りとして用いられている。灯りを目的としたキャンドルのほか、香りやデザインなどを楽しむことを目的とした多種多様なキャンドルがある（例えば、特許文献１〜５）。
【０００３】
また、最近では、ボタニカルキャンドルが注目されてきている。ボタニカルキャンドルは、燃焼剤である内側蝋の外周を覆うように装飾用の蝋が配置され、装飾用の蝋に花や草、果物などさまざまな植物が閉じ込められたものである。ボタニカルキャンドルは、揺らぐ火の光で透視される花などの装飾物により、幻想的で美しい視覚的効果を奏する。また、ボタニカルキャンドルは、植物の種類や色によって風合いが変わるという美術的な要素をもつ。
【先行技術文献】
【特許文献】
【０００４】
【特許文献１】特開２０１４−０１２８４７号公報
【特許文献２】特開２０１０−１９５９２８号公報
【特許文献３】特開２０１５−１１３４７０号公報
【特許文献４】特開２０１６−１３８１５８号公報
【特許文献５】特開２０１７−１５５１６４号公報
【発明の概要】
【発明が解決しようとする課題】
【０００５】
ボタニカルキャンドルを灯していると、燃焼剤である内側蝋が徐々に焼失してゆき、内側蝋の上部に空間が生じる。そして、外側蝋の内側も融解していくと、外側蝋に閉じ込められている植物が露出し、植物が生じた空間に倒れ込んだり、或いは、炎が揺らいだりして、植物に着火するおそれがある。
【０００６】
本発明は、上記事項に鑑みてなされたものであり、その目的とするところは、火を灯しても、植物への着火を抑制し得るボタニカルキャンドル及びその製造方法を提供することにある。
【課題を解決するための手段】
【０００７】
本発明の第１の観点に係るボタニカルキャンドルは、
燃焼芯を有する内側蝋と、
内部に植物が配置され、前記内側蝋を取り巻いている外側蝋と、
前記内側蝋と前記外側蝋との間に配置され、前記内側蝋が焼失した際に、植物への着火を抑制する仕切りと、を備える、
ことを特徴とする。
【０００８】
また、前記仕切りが前記内側蝋に巻き回されたシート材であってもよい。
【０００９】
また、前記仕切りの上部が前記外側蝋の方へ湾曲していてもよい。
【００１０】
また、前記仕切りが難燃性素材から構成されることが好ましい。
【００１１】
また、断熱構造の前記仕切りを備えていてもよい。
【００１２】
また、前記仕切りが断熱材を有していてもよい。
【００１３】
また、前記仕切りが２重に配置されており、前記仕切り同士の間にセパレータが配置されて前記仕切り同士が離間していてもよい。
【００１４】
また、前記仕切りが中空構造であってもよい。
【００１５】
本発明の第２の観点に係るボタニカルキャンドルの製造方法は、
内側蝋形成用型枠に燃焼芯を配置し、前記内側蝋形成用型枠に第１の蝋を充填して硬化させて内側蝋を作製する工程と、
前記内側蝋形成用型枠から取り出した前記内側蝋の外面に仕切りを配置する工程と、
前記仕切りの外側に植物を配置する工程と、
前記内側蝋を外側蝋形成用型枠に入れ、前記外側蝋形成用型枠に第２の蝋を充填して硬化させて外側蝋を作製する工程と、を備える、
ことを特徴とする。
【００１６】
また、表面に粘着剤層を有する前記仕切りを用い、
前記粘着剤層が外側を向くようにして前記仕切りを前記内側蝋に配置し、
前記植物を前記仕切りに付着させて配置してもよい。
【発明の効果】
【００１７】
本発明に係るボタニカルキャンドルでは、内側蝋と外側蝋との間に仕切りが配置されており、ボタニカルキャンドルを灯して内側蝋が焼失しても、外側蝋に配置された植物への着火が抑えられる。
【図面の簡単な説明】
【００１８】
【図１】ボタニカルキャンドルの斜視図である。
【図２】ボタニカルキャンドルの断面図である。
【図３】ボタニカルキャンドルの使用時の状態を示す断面図である。
【図４】他の形態に係るボタニカルキャンドルの断面図である。
【図５】他の形態に係るボタニカルキャンドルの斜視図である。
【図６】他の形態に係るボタニカルキャンドルの斜視図である。
【図７】他の形態に係るボタニカルキャンドルの断面図である。
【図８】他の形態に係るボタニカルキャンドルの断面図である。
【図９】他の形態に係るボタニカルキャンドルの断面図である。
【図１０】他の形態に係るボタニカルキャンドルの断面図である。
【図１１】ボタニカルキャンドルの製造方法を示す工程図である。
【図１２】図１２（Ａ）、（Ｂ）は、ボタニカルキャンドルの製造方法を説明する断面図である。
【図１３】図１３（Ａ）、（Ｂ）は、ボタニカルキャンドルの製造方法を説明する斜視図である。
【図１４】図１４（Ａ）、（Ｂ）は、ボタニカルキャンドルの製造方法を説明する断面図である。
【発明を実施するための形態】
【００１９】
以下、図を参照しつつ、本実施の形態に係るボタニカルキャンドル、及び、その製造方法について説明する。
【００２０】
（ボタニカルキャンドル）
図１、及び、図２に示すように、ボタニカルキャンドル１は、内側蝋１０、燃焼芯１１、外側蝋２０、仕切り３０、植物Ｐを備えている。燃焼芯１１に点火することにより、ボタニカルキャンドル１を灯して使用される。
【００２１】
内側蝋１０は、燃焼剤として利用される蝋である。内側蝋１０は、例えば、パラフィンワックスなどの炭化水素系化合物、ステアリン酸などの高級脂肪酸、木蝋や蜜蝋などの高級脂肪酸と高級アルコールとのエステル、ステアリルアルコールなどの高級脂肪族アルコール、大豆ワックス、マイクロワックスなどのワックスを主成分とし、これらが混合されて用いられていてもよい。
【００２２】
内側蝋１０の中心付近には、燃焼芯１１が垂直に底部まで配置され、上部は内側蝋１０の上面から突出している。燃焼芯１１は、綿糸やイグサなどの繊維を主体とした紐状の芯やこれらに紙製フィラメントが編み込まれた芯のほか、木製芯など、一般的なキャンドルに用いられる芯が用いられる。
【００２３】
外側蝋２０は、内部に植物Ｐが閉じ込められており、植物Ｐを支持し、装飾的な機能を果たす。外側蝋２０は、内側蝋１０と同様の成分から構成されるが、形状維持の観点から、内側蝋１０よりも融点が高く、融解し難い蝋が用いられることが好ましい。
【００２４】
植物Ｐとしては、ドライフラワーやプリザーブドフラワーなどの花や草、果実、木の実、枝などの種々の植物の部位が用いられる。また、外側蝋２０には、植物Ｐのほかにも種々の一般的な装飾物が配置されていても構わない。
【００２５】
仕切り３０は、例えば、シート状であり、内側蝋１０と外側蝋２０とに挟まれるように配置され、内側蝋１０と外側蝋２０とを仕切っている。仕切り３０は、後述するように、燃焼芯１１に着火してボタニカルキャンドル１を灯した際に、炎が植物Ｐに当たって、植物Ｐが燃焼することを抑制する機能を果たす。
【００２６】
図３に、ボタニカルキャンドル１に火を灯した使用状態を示しているが、火を灯すと、燃焼剤として利用される内側蝋１０が焼失してゆき、内側蝋１０の上部には空間が生じることになる。また、外側蝋２０にも熱が伝わってしまうと、外側蝋２０も上部の内側から融解し、植物Ｐが露出することになる。もし、仕切り３０が存在しない場合では、植物Ｐが生じた空間に倒れ込んだりして植物Ｐに着火し、火事につながる恐れがある。本実施形態に係るボタニカルキャンドル１では、仕切り３０を備えているため、植物Ｐが生じた空間に倒れ込むような事態を避けることができ、植物Ｐに着火されることが抑えられる。
【００２７】
仕切り３０は、上記機能を発揮し得るものであれば、どのような素材から構成されていてもよい。例えば、ガラスや金属のほか、アミノ樹脂、アクリル樹脂、ウレタン樹脂、ポリエステル樹脂、ポリ塩化ビニル樹脂、ポリカーボネート樹脂、ポリエチレン、ポリ酢酸ビニル、ポリプロピレン、ポリ塩化ビニリデン、ポリスチレン、ポリビニルアルコール、ポリエチレンテレフタレート、６−ナイロン、ポリテトラフルオロエチレン、ポリイミド、合成セルロース系樹脂などの合成樹脂などの合成樹脂、これらの合成樹脂に炭素繊維やガラス繊維が一体化された複合素材など、種々の素材が用いられる。
【００２８】
また、仕切り３０は、難燃性、及び、剛性を有し、熱変形し難い素材から構成されていることが好ましい。仕切り３０が合成樹脂を含有する素材から構成される場合、ＪＩＳ  Ｋ７２０１−２に基づいて測定される酸素指数が２３以上、好ましくは２７以上である難燃性材料であるとよい。
【００２９】
また、内側蝋１０が融解して、融解した蝋が含浸して難燃性、形状維持性を発揮し得る素材であってもよく、例えば、不織布や紙なども使用され得る。
【００３０】
なお、仕切り３０は、光透過性を有する素材から構成されていることが好ましい。ボタニカルキャンドル１を灯した際に、炎の光が透光して視覚効果を楽しむことができる。
【００３１】
また、仕切り３０の高さ（図２に示すＨ１）は、配置された植物Ｐの高さ（図２に示すＨ２）よりも高いことが好ましい。仕切り３０の上端が配置されている植物Ｐの高さ以上にあれば、炎が植物Ｐに接触することを抑え得る。
【００３２】
また、図４に示すように、仕切り３０の上部が外側蝋２０の方向へ屈曲した形態であってもよい。植物Ｐの倒れ込みをより効果的に抑制することができる。仕切り３０がシート状の素材である場合、上部が切り込まれ、切れ込まれた箇所が屈曲しているとよい。
【００３３】
また、仕切り３０は、上記の機能を発揮する限り、シート状の素材で内側蝋１０の外面に巻き回され、内側蝋１０を覆っている形態のほか、図５に示すように、仕切り３０として棒状の素材を用い、この棒状体が内側蝋１０の外周に並べて配置された形態であってもよい。更には、仕切り３０として複数枚の板状素材を用い、板状素材で内側蝋１０を囲った形態などであってもよい。
【００３４】
また、円柱形状のボタニカルキャンドル１のほか、種々の形状のボタニカルキャンドル１であってもよい。例えば、図６に示すように、内側蝋１０が星形、外側蝋２０が六角形であってもよい。更には、内側蝋１０及び外側蝋２０がそれぞれ独立に多角形や楕円、円弧と直線を組み合わせた形状のほか、円錐形状や多角錐形状、球形状、卵型形状など種々の形状のボタニカルキャンドル１であってもよい。
【００３５】
図２に戻り、燃焼芯１１から内側蝋１０の外表面までの距離（図２に示すＬ）が大きいこと、例えば、３ｃｍ以上であることが望ましい。燃焼芯１１から外側蝋２０を離間させることにより、外側蝋２０が炎から離れ、外側蝋２０への熱が伝わりにくくなり、外側蝋２０が融解し難くなる。外側蝋２０が融解すると、外側蝋２０の外面に垂れ落ちたりするなど、ボタニカルキャンドル１の見栄えが徐々に悪化し得るが、外側蝋２０の融解を抑えられれば、そのような事態を避けることができる。
【００３６】
また、外側蝋２０の融解を抑えるべく、厚みのある仕切り３０、例えば、３ｍｍ以上の仕切り３０を用いてもよい。仕切り３０の厚みが大きいほど、炎や内側蝋１０からの熱が外側蝋２０へ伝わりにくくなり、外側蝋２０の融解が抑えられ得る。
【００３７】
また、仕切り３０が断熱構造を備えていてもよい。例えば、図７に示すように、断熱材３１を備える仕切り３０であってもよい。ここでは、仕切り３０の外面に断熱材３１が配置されている。断熱材３１として、例えば、グラスウールやロックウール等の繊維系断熱材、発泡ゴムやフェノールフォーム等の発泡系断熱材など、種々の断熱材３１が利用可能である。なお、断熱材３１は仕切り３０の内面に配置されていても、外面及び内面の双方に配置されていてもよい。
【００３８】
また、図８や図９に示すように、種々の形状のスペーサー３２を介して、仕切り３０が２重に配置されていてもよい。スペーサー３２によって、仕切り３０同士が離間しており、その間に空気層を有しているので断熱機能を発揮する。なお、この空気層に上述した断熱材３１が配置されていてもよい。スペーサー３２は、仕切り３０同士を離間させることができればよく、マトリクス状に球状、ドット状のスペーサー３２が配置された形態のほか、直線状、環状、螺旋状のスペーサー３２が配置された形態などが挙げられる。また、スペーサー３２は、上述した仕切り３０と同様の素材であってよく、また、ホットメルト接着剤（ＥＶＡ（Ethylene-vinyl acetate）系樹脂、ＥＭＭＡ（Ethylene Methyl Methacrylate）系樹脂、オレフィン系樹脂、ポリアミド系樹脂）が利用され得る。
【００３９】
また、仕切り３０が３重以上に配置されて、対向する仕切り３０同士の間にそれぞれスペーサー３２が配置されていてもよい。
【００４０】
また、中空の仕切り３０、例えば、図１０に示すように、筒状の仕切り３０を用いてもよい。筒状の仕切り３０では内部に空間を有しているので、その空間が空気層となり、断熱機能を発揮する。なお、中空の仕切り３０の内部に断熱材３１が配置されていてもよい。
【００４１】
（ボタニカルキャンドルの製造方法）
ボタニカルキャンドルの製造方法は、図１１に示すように、内側蝋を作製する工程と、仕切りを配置する工程と、植物を配置する工程と、外側蝋を作製する工程と、を備える。
【００４２】
（内側蝋を作製する工程）
内側蝋を作製する工程では、図１２（Ａ）に示すように、一方の面が開口し、他方の面が閉口した筒状の内側蝋形成用型枠４０を準備する。閉口している面には、燃焼芯１１を通すことが可能な孔を有している。この孔に燃焼芯１１を通し、燃焼芯１１の一端を内側蝋形成用型枠４０の閉口面に固定する。燃焼芯１１の固定は、粘土４１などの固定用部材を用いた固定方法など、固定と同時に孔を密閉可能な手法にて行うとよい。また、燃焼芯１１の他端は、第１の型枠の軸に沿って張った状態で固定しておく。例えば、燃焼芯１１を割り箸４２で狭持し、割り箸４２を内側蝋形成用型枠４０の開口縁に置いて燃焼芯１１を張った状態にするなど、公知の手法で行えばよい。
【００４３】
そして、図１２（Ｂ）に示すように、内側蝋形成用型枠４０内に、第１の蝋を充填し、冷却して硬化させることで、内側蝋１０が形成される。なお、冷却は常温でよい。
【００４４】
第１の蝋が硬化した後、内側蝋形成用型枠４０の閉口面の孔から出ている燃焼芯１１を切断し、内側蝋形成用型枠４０から内側蝋１０を取り出す。なお、内側蝋１０を取り出しやすくするため、第１の蝋を充填する前に、内側蝋形成用型枠４０の内面に、離形剤を塗布しておくとよい。離形剤として、例えば、サラダ油等の食用油が挙げられる。
【００４５】
（仕切りを配置する工程）
図１３（Ａ）、（Ｂ）に示すように、内側蝋１０の外周面に仕切りを配置する。ここでは、所定の形状、具体的には、長さが内側蝋１０の周長以上、幅が内側蝋１０の高さ程度の矩形のシート材を用い、シート材で内側蝋の周囲を巻き回し、シート材の端部同士が重なった箇所を固定することにより仕切り３０を配置している。固定は接着剤による固定など、公知の手法で行い得る。なお、仕切り３０の配置は、用いる仕切り３０の形態に応じ、適宜内側蝋１０の外面に配置すればよい。
【００４６】
（植物を配置する工程）
続いて、植物Ｐを配置する。まず、図１４（Ａ）に示すように、一方の面が開口し、他方の面が閉口し、外径が内側蝋形成用型枠４０よりも大きい外側蝋形成用型枠４３に内側蝋１０を入れる。そして、内側蝋１０と外側蝋形成用型枠４３の間に形成される空間に、植物Ｐを挿入することにより、植物Ｐを配置する。
【００４７】
（外側蝋を作製する工程）
続いて、外側蝋形成用型枠４３に第２の蝋を充填し、冷却して硬化させ、図１４（Ｂ）に示すように、外側蝋２０を作製する。そして、第２の蝋の硬化後、外側蝋形成用型枠４３から取り出す。なお、内側蝋形成時と同様、外側蝋形成用型枠４３の内面に、上述した離形剤を塗布してから第２の蝋を充填することで、外側蝋形成用型枠４３からのボタニカルキャンドル１の取り出しを容易に行うことができる。
【００４８】
以上の工程を経ることで、ボタニカルキャンドル１を製造することができる。上記では、内側蝋１０を外側蝋形成用型枠４３に入れ、内側蝋１０と外側蝋形成用型枠４３との間に形成される空間に植物Ｐを配置する例について説明したが、これに限定されない。内側蝋１０の外周面に、粘着剤層を有する仕切り３０を、粘着剤層が外側を向くように配置し、続いて粘着剤層に植物Ｐを付着して配置し、その後、植物Ｐを配置した内側蝋１０を外側蝋形成用型枠４３に入れ、第２の蝋を充填して外側蝋２０を作製する手法でもよい。植物Ｐを所望の位置に配置することが可能であり、所望のデザインのボタニカルキャンドル１を製造できる利点がある。
【００４９】
なお、円筒状の内側蝋形成用型枠４０、外側蝋形成用型枠４３、シート状の仕切り３０を用い、円柱状のボタニカルキャンドル１を製造する例について説明したが、製造しようとするボタニカルキャンドル１の形状に応じて種々の型枠、仕切り３０を用いることで、上述した種々の形態のボタニカルキャンドル１を製造することができる。
【符号の説明】
【００５０】
１    ボタニカルキャンドル
１０    内側蝋
１１    燃焼芯
２０    外側蝋
３０    仕切り
３１    断熱材
３２    スペーサー
４０    内側蝋形成用型枠
４１    粘土
４２    割り箸
４３    外側蝋形成用型枠
Ｐ    植物
【図１】
2019151750.tif 000003
【図２】
2019151750.tif 000004
【図３】
2019151750.tif 000005
【図４】
2019151750.tif 000006
【図５】
2019151750.tif 000007
【図６】
2019151750.tif 000008
【図７】
2019151750.tif 000009
【図８】
2019151750.tif 000010
【図９】
2019151750.tif 000011
【図１０】
2019151750.tif 000012
【図１１】
2019151750.tif 000013
【図１２】
2019151750.tif 000014
【図１３】
2019151750.tif 000015
【図１４】
2019151750.tif 000016
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
燃焼芯を有する内側蝋と、
内部に植物が配置され、前記内側蝋を取り巻いている外側蝋と、
前記内側蝋と前記外側蝋との間に配置され、前記内側蝋が焼失した際に、植物への着火を抑制する仕切りと、を備え、
前記仕切りの上部が前記外側蝋の方へ湾曲している、
ことを特徴とするボタニカルキャンドル。
【請求項２】
前記仕切りが前記内側蝋に巻き回されたシート材である、
ことを特徴とする請求項１に記載のボタニカルキャンドル。
【請求項３】
前記仕切りが難燃性素材から構成される、
ことを特徴とする請求項１又は２に記載のボタニカルキャンドル。
【請求項４】
断熱構造の前記仕切りを備える、
ことを特徴とする請求項１乃至３のいずれか一項に記載のボタニカルキャンドル。
【請求項５】
前記仕切りが断熱材を有している、
ことを特徴とする請求項４に記載のボタニカルキャンドル。
【請求項６】
前記仕切りが２重に配置されており、前記仕切り同士の間にセパレータが配置されて前記仕切り同士が離間している、
ことを特徴とする請求項４に記載のボタニカルキャンドル。
【請求項７】
前記仕切りが中空構造である、
ことを特徴とする請求項４に記載のボタニカルキャンドル。
【手続補正３】
【補正対象書類名】明細書
【補正対象項目名】０００１
【補正方法】変更
【補正の内容】
【０００１】
本発明は、ボタニカルキャンドルに関する
【手続補正４】
【補正対象書類名】明細書
【補正対象項目名】０００６
【補正方法】変更
【補正の内容】
【０００６】
本発明は、上記事項に鑑みてなされたものであり、その目的とするところは、火を灯しても、植物への着火を抑制し得るボタニカルキャンドルを提供することにある。
【手続補正５】
【補正対象書類名】明細書
【補正対象項目名】０００７
【補正方法】変更
【補正の内容】
【０００７】
本発明に係るボタニカルキャンドルは、
燃焼芯を有する内側蝋と、
内部に植物が配置され、前記内側蝋を取り巻いている外側蝋と、
前記内側蝋と前記外側蝋との間に配置され、前記内側蝋が焼失した際に、植物への着火を抑制する仕切りと、を備え、
前記仕切りの上部が前記外側蝋の方へ湾曲している、
ことを特徴とする。
【手続補正６】
【補正対象書類名】明細書
【補正対象項目名】０００９
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正書】
【提出日】平成30年11月13日(2018.11.13)
【手続補正１】
【補正対象書類名】特許請求の範囲
【補正対象項目名】全文
【補正方法】変更
【補正の内容】
【特許請求の範囲】
【請求項１】
燃焼芯を有する内側蝋と、
内部に植物が配置され、前記内側蝋を取り巻いている外側蝋と、
前記内側蝋と前記外側蝋との間に配置され、前記内側蝋が焼失した際に、植物への着火を抑制する仕切りと、を備え、
前記仕切りの上部が前記外側蝋の方へ湾曲しており、
断熱構造の前記仕切りを備えており、
前記断熱構造は、前記仕切りが断熱材を有する構造、前記仕切りが２重に配置されており、前記仕切り同士の間にセパレータが配置されて前記仕切り同士が離間した構造、又は、前記仕切りが中空構造である、
ことを特徴とするボタニカルキャンドル。
【請求項２】
前記仕切りが前記内側蝋に巻き回されたシート材である、
ことを特徴とする請求項１に記載のボタニカルキャンドル。
【請求項３】
前記仕切りが難燃性素材から構成される、
ことを特徴とする請求項１又は２に記載のボタニカルキャンドル。
【手続補正２】
【補正対象書類名】明細書
【補正対象項目名】０００７
【補正方法】変更
【補正の内容】
【０００７】
本発明に係るボタニカルキャンドルは、
燃焼芯を有する内側蝋と、
内部に植物が配置され、前記内側蝋を取り巻いている外側蝋と、
前記内側蝋と前記外側蝋との間に配置され、前記内側蝋が焼失した際に、植物への着火を抑制する仕切りと、を備え、
前記仕切りの上部が前記外側蝋の方へ湾曲しており、
断熱構造の前記仕切りを備えており、
前記断熱構造は、前記仕切りが断熱材を有する構造、前記仕切りが２重に配置されており、前記仕切り同士の間にセパレータが配置されて前記仕切り同士が離間した構造、又は、前記仕切りが中空構造である、
ことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】